【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
フィラメント当り１ないし２０００デニール及び１：２ないし１：１１の延伸比を各々有し、かつ、以下の成分
（Ａ）ポリオレフィン、
（Ｂ）式（Ｂ−１）
【化１】
2010514948.tif 000001
{式中、
Ｅは水素原子、炭素原子数１ないし４のアルキル基、炭素原子数１ないし１８のアルコキシ基、シクロヘキシル基、炭素原子数２ないし２０のアルカノイルオキシ基又は基−Ｏ−Ｅ１−ＯＨ
（式中、Ｅ１は炭素原子数２ないし１８のアルキレン基又はシクロヘキシレン基を表し又は基−Ｅ１−ＯＨは基−Ｃ（Ｃ６Ｈ５）（Ｈ）ＣＨ２−ＯＨを表す。）を表し；
ｍ１は１又は２を表し、
ｍ１が１を表す場合、Ｅ２は炭素原子数１ないし２５のアルキル基又は基
【化２】
2010514948.tif 000002
を表し、
ｍ１が２を表す場合、Ｅ２は炭素原子数１ないし１４のアルキレン基を表す。｝
で表される化合物；
（Ｃ）式（Ｃ−１）
【化３】
2010514948.tif 000003
（式中、
Ｒ１、Ｒ３、Ｒ４、及びＲ５は互いに独立して水素原子、炭素原子数１ないし１２のアルキル基、炭素原子数５ないし１２のシクロアルキル基、炭素原子数１ないし４のアルキル基で置換された炭素原子数５ないし１２のシクロアルキル基、フェニル基、−ＯＨ基及び／又は炭素原子数１ないし１０のアルキル基によって置換されたフェニル基、炭素原子数７ないし９のフェニルアルキル基、フェニル基上を−ＯＨ基及び／又は炭素原子数１ないし１０のアルキル基によって置換された、炭素原子数７ないし９のフェニルアルキル基；又は式（ｃ−Ｉ）
【化４】
2010514948.tif 000004
で表される基を表し
Ｒ２は炭素原子数２ないし１８のアルキレン基、炭素原子数５ないし７のシクロアルキレン基又は炭素原子数１ないし４のアルキレンジ（炭素原子数５ないし７のシクロアルキレン）基を表し、
又は、
基Ｒ１、Ｒ２、及びＲ３はそれらが結合した窒素原子と一緒になって、５ないし１０員のヘテロ環を形成し、又は
基Ｒ４及びＲ５はそれらが結合した窒素原子と一緒になって、５ないし１０員のヘテロ環を形成し、
Ｒ６は水素原子、炭素原子数１ないし８のアルキル基、酸素ラジカル、−ＯＨ基、−ＣＨ２ＣＮ基、炭素原子数１ないし１８のアルコキシ基、炭素原子数５ないし１２のシクロア
ルコキシ基、炭素原子数３ないし６のアルケニル基、非置換の又はフェニル基上を１，２又は３個の炭素原子数１ないし４のアルキル基によって置換された、炭素原子数７ないし９のフェニルアルキル基；又は
炭素原子数１ないし８のアシル基を表し、そして
ｂ１は２ないし５０の数を表すが、
ただし基Ｒ１、Ｒ３、Ｒ４及びＲ５のうち少なくとも１つは、式（ｃ−Ｉ）で表される基である。）で表される化合物；
式（Ｃ−２）
【化５】
2010514948.tif 000005
｛式中、
Ｒ７及びＲ１１は互いに独立して水素原子又は炭素原子数１ないし１２のアルキル基を表し、
Ｒ８、Ｒ９、及びＲ１０は互いに独立して炭素原子数２ないし１０のアルキレン基を表し、及び
Ｘ１、Ｘ２、Ｘ３、Ｘ４、Ｘ５、Ｘ６、Ｘ７及びＸ８は互いに独立して式（ｃ−ＩＩ）
【化６】
2010514948.tif 000006
（式中、Ｒ１２は水素原子、炭素原子数１ないし１２のアルキル基、炭素原子数５ないし１２のシクロアルキル基、炭素原子数１ないし４のアルキル基によって置換された炭素原子数５ないし１２のシクロアルキル基、フェニル基、−ＯＨ基及び／又は炭素原子数１ないし１０のアルキル基で置換されたフェニル基、炭素原子数７ないし９のフェニルアルキル基、フェニル基上を−ＯＨ基及び／又は炭素原子数１ないし１０のアルキル基によって置換された炭素原子数７ないし９のフェニルアルキル基；又は上で定義した式（ｃ−Ｉ）で表される基を表し、及びＲ１３はＲ６の意味の１つを有する。）で表される基を表す。｝で表される化合物；
式（Ｃ−３）
【化７】
2010514948.tif 000007
（式中、
ｂ２は２ないし５０の数を表し、
基Ｒ１４は互いに独立して炭素原子数２ないし１０のアルキレン基を表し、
基Ｒ１５は互いに独立して水素原子、炭素原子数１ないし１２のアルキル基、炭素原子数５ないし１２のシクロアルキル基、フェニル基又は炭素原子数７ないし９のフェニルアルキル基を表し、及び
基Ｒ１６は互いに独立してＲ６の１つの意味を有する。）で表される化合物；
式（Ｃ−４）
【化８】
2010514948.tif 000008
｛式中、
Ｒ１７及びＲ２１は互いに独立して直接結合又は−Ｎ（Ｘ９）−ＣＯ−Ｘ１０−ＣＯ−Ｎ（Ｘ１１）−（式中、Ｘ９及びＸ１１は互いに独立して水素原子、炭素原子数１ないし８のアルキル基、炭素原子数５ないし１２のシクロアルキル基、フェニル基、炭素原子数７ないし９のフェニルアルキル基又は式（ｃ−Ｉ）で表される基を表し、
Ｘ１０は直接結合又は炭素原子数１ないし４のアルキレン基を表す。）で表される基を表し、
Ｒ１８はＲ６の意味の１つを有し、
Ｒ１９、Ｒ２０、Ｒ２３、及びＲ２４は互いに独立して水素原子、炭素原子数１ないし３０のアルキル基、炭素原子数５ないし１２のシクロアルキル基又はフェニル基を表し、
Ｒ２２は水素原子、炭素原子数１ないし３０のアルキル基、炭素原子数５ないし１２のシクロアルキル基、フェニル基、炭素原子数７ないし９のフェニルアルキル基又は式（ｃ−Ｉ）で表される基を表し、及び
ｂ３は１ないし５０の数を表す。｝で表される化合物；又は
式（Ｃ−５−ａ）又は式（Ｃ−５−ｂ）
【化９】
2010514948.tif 000009
（式中、ｂ４及びｂ４＊は２ないし５０の数を表す。）で表される化合物；
及び所望により
（Ｄ）１つ以上の無機及び／又は有機顔料
を含有する組成物から各々作られた、マルチフィラメント、モノフィラメント、不織布又はテープ。
【請求項２】
Ｅは基−Ｏ−Ｅ１−ＯＨを表す、請求項１に記載のマルチフィラメント、モノフィラメント、不織布又はテープ。
【請求項３】
成分（Ａ）は、ポリエチレン、ポリプロピレン、エチレンコポリマー又はプロピレンコポリマー又はそれらの混合物である、請求項１に記載のマルチフィラメント、モノフィラメント、不織布又はテープ。
【請求項４】
成分（Ｂ）は式（Ｂ−１−ａ−０）、（Ｂ−１−ａ−１）、（Ｂ−１−ａ−２）、式（Ｂ−１−ａ−３）又は（Ｂ−１−ｂ）；
【化１０】
2010514948.tif 000010
（上記式中、基Ｅは同一であり、水素原子、メチル基、オクチルオキシ基又はシクロヘキシルオキシ基を表す。）
で表される化合物である、請求項１に記載のマルチフィラメントモノフィラメント、不織布又はテープ。
【請求項５】
成分（Ｃ）は式（Ｃ−１−ａ）、（Ｃ−１−ｂ）、（Ｃ−１−ｃ）、（Ｃ−１−ｄ）、（Ｃ−２−ａ）、（Ｃ−３−ａ）、（Ｃ−４−ａ）、（Ｃ−４−ｂ）、（Ｃ−４−ｃ）、（Ｃ−５−ａ）又は（Ｃ−５−ｂ）；
【化１１】
2010514948.tif 000011
（上記式中、ｂ１は２ないし２０の数を表し及び
Ｒ６は水素原子、炭素原子数１ないし８のアルキル基、酸素ラジカル、−ＯＨ基、−ＣＨ２ＣＮ基、炭素原子数１ないし１８のアルコキシ基、炭素原子数５ないし１２のシクロアルキル基、炭素原子数３ないし６のアルケニル基、非置換の又はフェニル基上を１，２又は３個の炭素原子数１ないし４のアルキル基によって置換された、炭素原子数７ないし９のフェニルアルキル基；又は
炭素原子数１ないし８のアシル基を表す。）
【化１２】
2010514948.tif 000012
（上記式中、Ｒ１３はＲ６の意味の１つを有する。）
【化１３】
2010514948.tif 000013
（上記式中、ｂ２は２ないし２０の数を表し、Ｒ１６はＲ６の意味の１つを有する。）
【化１４】
2010514948.tif 000014
（上記式中、ｂ３は１ないし２０の数を表し、Ｒ１８はＲ６の意味の１つを有する。）
【化１５】
2010514948.tif 000015
（上記式中、ｂ４及びｂ４＊は２ないし２０の数を表す。）
で表される化合物である、請求項１に記載のマルチフィラメント、モノフィラメント、不織布又はテープ。
【請求項６】
成分（Ｂ）は式（Ｂ−１−ａ−１）
【化１６】
2010514948.tif 000016
で表される化合物であり、
及び成分（Ｃ）は式（Ｃ−１−ｂ−１）
【化１７】
2010514948.tif 000017
（上記式中、ｂ１は２ないし２０の数を表す。）
で表される化合物である、請求項１に記載のマルチフィラメント、モノフィラメント、不織布又はテープ。
【請求項７】
成分（Ａ）、（Ｂ）、（Ｃ）及び（Ｄ）を含有する、請求項１に記載のマルチフィラメント、モノフィラメント、不織布又はテープ。
【請求項８】
更なる成分として
（Ｅ）ＵＶ吸収剤
を含有する、請求項１に記載のマルチフィラメント、モノフィラメント、不織布又はテープ。
【請求項９】
敷物、屋根膜、ジオテキスタイル、自動車用のポリオレフィン構造体及び遮光布から成る群から選択された、請求項１に記載のマルチフィラメント、モノフィラメント、不織布又はテープを含む物品。
【請求項１０】
請求項８に記載のマルチフィラメント、モノフィラメント、不織布又はテープを含む人工芝。
【請求項１１】
ラテックス又はゴムと接触している、請求項１に記載のマルチフィラメント、モノフィラメント、不織布又はテープを含有する物品。